(57)【特許請求の範囲】
【請求項１】
背板およびその両側に連続する一対の側板からなり上端および下端が開放するとともに前記背板から前記一対の側板にかけて周縁部が内向きに曲成された曲成部を有する本体と、
前記一対の側板の前端部に配置される扉枠と、
この扉枠に開閉自在に取付けられた扉とを備え、
前記本体は、前記一対の側板の上端部および下端部からそれぞれ前記背板にかけて前記曲成部の内側で略Ｕ字形の補強部材を抱持し、前記補強部材に前記扉枠が取り外し可能に取付けられ、
前記扉枠はその四辺を形成する枠片と、これらの枠片を相互に連結するコーナ補強片からなり、前記コーナ補強片は前記補強部材に取付けられるとともに前記コーナ補強片に前記扉を回動自在に設ける蝶番取付部を有する盤ボックス。
【発明の詳細な説明】
【０００１】
【産業上の利用分野】
この発明は、分電盤、制御盤等に適用される盤ボックスに関するものである。
【０００２】
【従来の技術】
従来の分電盤の盤ボックスは背板，一対の側板，天板および下板を有する箱形であった。
【０００３】
【発明が解決しようとする課題】
しかし、この盤ボックスは、開口部の扉枠を外しても天板および下板に開孔を形成して電線を通す必要があった。このため、ボックスの加工および電線の貫通に手間がかかる欠点があった。
したがって、この発明の目的は、通線工事を容易にすることができる盤ボックスを提供することである。
【０００４】
【課題を解決するための手段】
請求項１の盤ボックスは、背板およびその両側に連続する一対の側板からなり上端および下端が開放するとともに前記背板から前記一対の側板にかけて周縁部が内向きに曲成された曲成部を有する本体と、
前記一対の側板の前端部に配置される扉枠と、
この扉枠に開閉自在に取付けられた扉とを備え、
前記本体は、前記一対の側板の上端部および下端部からそれぞれ前記背板にかけて前記曲成部の内側で略Ｕ字形の補強部材を抱持し、前記補強部材に前記扉枠が取り外し可能に取付けられ、
前記扉枠はその四辺を形成する枠片と、これらの枠片を相互に連結するコーナ補強片からなり、前記コーナ補強片は前記補強部材に取付けられるとともに前記コーナ補強片に前記扉を回動自在に設ける蝶番取付部を有するものである。
【０００６】
【作用】
請求項１の盤ボックスによれば、本体の一対の側板の前端部に扉枠を取付け、扉枠に扉を取付け、本体を壁に取付ける。この場合、天部および下部が開口になっているため、扉枠を外して通線工事をする際の配線が容易になるとともに、複数の本体を縦に連結して取付けたときの本体の相互の配線作業が容易になる。また、前記一対の側板の上端部および下端部からそれぞれ前記背板にかけて補強部材を設け、前記補強部材に前記扉枠が取付けられているため、本体が薄板により形成されても扉枠を取付ける際の組み合わせ強度を確保できる。
【０００７】
また、前記扉枠はその四辺を形成する枠片と、これらの枠片を相互に連結するコーナ補強片からなり、前記コーナ補強片は前記補強部材に取付けられるとともに前記コーナ補強片に前記扉を回動自在に設ける蝶番取付部を有するため、扉枠の強度を確保できるとともにコーナ補強片を本体の補強部材に取付けるため、強固な固定が可能になる。しかも枠片のサイズの変更が容易にできる。
【０００８】
【実施例】
この発明の一実施例を図１ないし図１４により説明する。すなわち、この盤ボックスは、本体１と、扉枠２と、扉３とを有する。
本体１は、背板４およびその両側に連続する一対の側板５，６からなる。実施例の本体１は主に図３および図４に示すように、薄板をコ字形に折曲して形成するとともに周縁部を内向きに曲成している。この場合、両側部の背面側にリブ７を一体形成している。また側板５，６の上端部および下端部からそれぞれ背板４にかけて曲成部の内側に断面コ字形で略Ｕ字形に形成された補強部材８を抱持し、この補強部材８の前端部にねじ孔を実施例とする枠取付部９を設けている。また背板４には、壁面に取付けられたレール１０の引掛受け部１３に引っ掛ける引掛部１１を有するとともに、ボルト１２により引掛受け部１３に固定するための孔１４を形成している。さらに背板４のレール取付位置上に内器受け１５を設けている。内器受け１５に取付けられる内器１６は図２に示すように内器フレーム１７，ブレーカ１８，バー１９，中蓋２０等を有する。なお、上下の開口には電線を通した後にほこり防止のための蓋が設けられるが、これは金属に限らず、プラスチックやゴム等の加工容易な材料によっても構成することができる。
【０００９】
扉枠２は、一対の側板５，６の前端部に取外し可能に取付けられている。実施例の扉枠２は図７および図８に示すようにその四辺を形成する枠片２１〜２４と、これらの枠片２１〜２４を相互に連結するコーナ補強片２５〜２８からなっている。各枠片２１〜２４はそれぞれ両側縁を内向きに曲成し、この曲成部により図８に示すようにコーナ補強片２５〜２８の両側縁を抱持するとともに枠片２１〜２４とコーナ補強片２５〜２８とを図９および図１０に示すようにかしめ（５８）により連結している。またコーナ補強片２５，２８には扉３を回動自在に設ける蝶番取付部３０を有する。この蝶番取付部３０は扉枠２の前方に突出し、先端部に軸孔５１を形成している。さらに扉枠２の枠片２２の略中央位置にスリット（図示せず）を形成し、スリットにロック受け３５を通し、その基端折曲部を枠片２２にかしめ（５８）により固定している。そしてコーナ補強片２５〜２８の取付孔３１および取付孔３１に整合する枠片２１〜２４の取付孔３２を通して、本体１の補強部材８の枠取付部９に取付ねじ５２により取外し可能に取付ける。
【００１０】
扉３は、扉枠２に開閉自在に取付けられている。実施例の扉３は図１３に示すように、扉板３７の周縁部を内向きに曲成し、コーナ部にコーナ部材３８を取付けている。コーナ部材３８は扉板３７の両側曲成部５５の上下端部に嵌合する嵌合突部３９と、上下の曲成部５６に重なる連結片４０を有し、曲成部５６に形成した孔４１に嵌合する突起４２を連結片４０の重なり部分に形成している。またコーナ部材３８の嵌合突部３９の内部の突出方向に一対の軸受け４３，４４を設け、扉板３７の正面からみて右側の上下のコーナ部材３８の嵌合突部３９の軸受け４３，４４の孔に軸４５を回動自在に通している。軸４５は軸受け４３，４４の間で軸４５に直角に扉外し用の操作杆４７を取付けており、また軸受け４３，４４の間の位置の軸４５にコイルばね４６を通してその一端を操作杆４７に係合するとともに他端を軸受け４３に係合し、これにより操作杆４７を軸受け４４側に押圧するとともに軸４５の端部４５ａを軸受け４３から外方に突出している。また軸受け４４の操作杆４７を受ける面に凹部４８を形成し、操作杆４７が凹部４８に嵌合した状態を軸４５の端部４５ａの最大突出状態とし、凹部４８から外れた状態を軸４５の端部４５ａの後退状態としている。
【００１１】
また扉３の裏面中央に図１４に示すように補強具４９を取付けるとともに、ロック受け３５に係止するロック兼取手５０を扉板３７に貫設している。
この扉３は操作杆４７を凹部４８から外して軸４５の端部４５ａを後退状態にして扉枠２の蝶番取付部３０の間に挿入し、操作杆４７を回してコイルばね４６により凹部４８に係合させることにより軸４５を突出し軸孔５１に軸支させて開閉自在に支持している。
【００１２】
なお、前記ボックスと同構成の本体１′，扉枠２′，扉３′を有するボックスを図１のようにレール１０に取付け、この一対で１つの盤ボックスを分担している。
この実施例によれば、本体１の一対の側板５，６の前端部に扉枠２を取付け、扉枠２に扉３を取付け、本体１を壁面（図示せず）に取付ける。この場合、天部および下部が開口になっているため、扉枠２を外して通線工事をする際の配線が容易になるとともに、複数の本体１を縦に連結して取付けたときの本体１の相互の配線作業が容易になる。このときたとえばボックスを複数に分割して縦に連結するように構成すると、各ボックスの小型化と壁面設置の際の軽量化とが可能になる。
【００１３】
また一対の側板５，６の上端部および下端部からそれぞれ背板４にかけて補強部材８を設け、補強部材８に扉枠２が取付けられているため、本体１が薄板により形成されても扉枠２を取付ける際の組み合わせ強度を確保できる。
さらに扉枠２はその四辺を形成する枠片２１〜２４と、これらの枠片２１〜２４を相互に連結するコーナ補強片２５〜２８からなり、コーナ補強片２５〜２８は補強部材８に取付けられるとともにコーナ補強片２５〜２８に扉２を回動自在に設ける蝶番取付部３０を有するため、扉枠２の強度を確保できるとともにコーナ補強片２５〜２８を本体１の補強部材８に取付けるため、強固な固定が可能になる。しかも枠片２１〜２４のサイズの変更が容易にできる。
【００１４】
なお、この盤ボックスが埋込穴に埋設される場合は、本体１の上下の開口を閉塞する蓋はなくてもよい。
【００１５】
【発明の効果】
請求項１の盤ボックスによれば、天部および下部が開口になっているため、扉枠を外して通線工事をする際の配線が容易になるとともに、複数の本体を縦に連結して取付けたときの本体の相互の配線作業が容易になる。また、前記一対の側板の上端部および下端部からそれぞれ前記背板にかけて補強部材を設け、前記補強部材に前記扉枠が取付けられているため、本体が薄板により形成されても扉枠を取付ける際の組み合わせ強度を確保できる。
【００１６】
また、前記扉枠はその四辺を形成する枠片と、これらの枠片を相互に連結するコーナ補強片からなり、前記コーナ補強片は前記補強部材に取付けられるとともに前記コーナ補強片に前記扉を回動自在に設ける蝶番取付部を有するため、扉枠の強度を確保できるとともにコーナ補強片を本体の補強部材に取付けるため、強固な固定が可能になる。しかも枠片のサイズの変更が容易にできる。
【図面の簡単な説明】
【図１】この発明の一実施例の斜視図である。
【図２】その断面図である。
【図３】本体のレール取付状態の斜視図である。
【図４】その破断分解斜視図である。
【図５】本体の平面図である。
【図６】本体の正面図である。
【図７】扉枠の内側からみた斜視図である。
【図８】その破断分解斜視図である。
【図９】扉枠の正面図である。
【図１０】かしめ部分の断面図である。
【図１１】図９のＡ−Ａ線断面図である。
【図１２】図９のＢ−Ｂ線断面図である。
【図１３】扉の破断分解斜視図である。
【図１４】扉の内側から見た斜視図である。
【符号の説明】
１    本体
２    扉枠
３    扉
４    背板
５，６    側板
【図１】
0003675849.tif 000002
【図２】
0003675849.tif 000003
【図３】
0003675849.tif 000004
【図４】
0003675849.tif 000005
【図５】
0003675849.tif 000006
【図６】
0003675849.tif 000007
【図７】
0003675849.tif 000008
【図８】
0003675849.tif 000009
【図９】
0003675849.tif 000010
【図１０】
0003675849.tif 000011
【図１１】
0003675849.tif 000012
【図１２】
0003675849.tif 000013
【図１３】
0003675849.tif 000014
【図１４】
0003675849.tif 000015